(57)【特許請求の範囲】
【請求項１】
法枠を備えた緑化構造物において、
前記法枠を構成する梁と梁との間に張設される線材と、
前記法枠に設けられ、前記線材に対し前記法枠の上面から離間する方向への変位を規制する固定部とを備え、
前記固定部は、前記梁の各側面を挟持する本体と、
前記本体に設けられ、前記線材を挿通する挿通部とを備えていることを特徴とする緑化構造物。
【請求項２】
請求項１に記載の緑化構造物において、
前記固定部は、該緑化構造物の起伏が変化する変曲部に設けられていることを特徴とする緑化構造物。
【請求項３】
請求項１又は２に記載の緑化構造物において、
前記固定部は、
前記固定部と前記梁の側面との間の相対距離を調節する調整部を備えていることを特徴とする緑化構造物。
【請求項４】
請求項１〜３のいずれか一項に記載の緑化構造物において、
前記固定部の前記挿通部に固定されるとともに、前記線材の端部を掛止する掛止部材をさらに備えたことを特徴とする緑化構造物。
【請求項５】
請求項４に記載の緑化構造物において、
前記掛止部材は、掛止した前記線材の張力を調整する張力調整部を備えることを特徴とする緑化構造物。
【請求項６】
法枠を備えた緑化構造物に用いられる固定部であって、
前記法枠を構成する梁を、その各側面から挟持する固定部と、
前記各梁の間に張設される線材を挿通する挿通部とを備えていることを特徴とする固定部。
【請求項７】
法枠が形成された緑化構造物への獣類の侵入防止方法であって、
獣類の侵入を防止する線材に対し前記法枠の上面から離間する方向への移動を規制する固定部を前記法枠に設け、前記線材を、前記固定部を介して前記法枠を構成する梁と梁との間に張設し、
前記固定部は、前記梁の各側面を挟持する本体と、
前記本体に設けられ、前記線材を挿通する挿通部とを備えていることを特徴とする獣類の侵入防止方法。
【請求項８】
請求項７に記載の獣類の侵入防止方法において、
前記固定部を、該緑化構造物の凹凸形状が変化する変曲部に設けることを特徴とする獣類の侵入防止方法。
【発明の詳細な説明】
【技術分野】
【０００１】
本発明は、緑化構造物、固定部及び獣類の侵入防止方法に関する。
【背景技術】
【０００２】
多くの山岳地域において、近年急激にカモシカ、ニホンジカ類の密度が増大している。この現象に伴い、これらのシカ類による樹木の食害や、食害による表土の流出等の森林被害が拡大している。強い食害を受けた地域では、多くの植物が枯損し、棘のある植物やシカ類に有害な成分を含む植物しか残らないこともある。
【０００３】
緑化工が施された法面又は傾斜地にも、シカ類等による導入植物の採餌活動に起因する食害及び引き抜き被害、施工地への侵入による生育基盤の踏み荒らし、これらに伴う生育基盤の弱体化や流出被害は多発している。このような被害にあった施工地は、導入植物の衰退が進行し、著しい場合は生育基盤が流出し、裸地化して再施工を余儀なくされる等、大きな問題となっている。
【０００４】
このような緑化工施工地の被害は、培土等を法面等に吹付ける植生基材吹付工のような工種だけでなく、広く普及している吹付枠工を併用した緑化工施工地においても同様に発生している。吹付枠工を施工した法面又は傾斜地に対しては、枠の上面や周囲に金網や合成樹脂製のネットを設置して、獣類の侵入を防止する方法がある（例えば、特許文献１参照）。
【特許文献１】特開２０００−１６６４５７号公報
【発明の開示】
【発明が解決しようとする課題】
【０００５】
ところが、金網を設置する方法は、侵入防止効果は高いが、法枠が形成された斜面全体に金網を張設することになるため、コストが高くなる。合成樹脂製のネットは、紫外線による劣化が急速で、効果の持続期間が短いだけでなく、破損すると景観上見苦しい。さらに、これらの網を敷設する方法は、法枠工の景観を損なうだけでなく、長期間経過後、網を構成する鋼材等が腐蝕したときに撤去費も多大となる。
【０００６】
本発明は、上記問題点に鑑みてなされたものであり、その目的は、獣類の侵入を防止する緑化構造物、固定部及び獣類の侵入防止方法を提供することにある。
【課題を解決するための手段】
【０００７】
上記問題点を解決するために、請求項１に記載の発明は、法枠を備えた緑化構造物において、前記法枠を構成する梁と梁との間に張設される線材と、前記法枠に設けられ、前記線材に対し前記法枠の上面から離間する方向への変位を規制する固定部とを備え、前記固定部は、前記梁の各側面を挟持する本体と、前記本体に設けられ、前記線材を挿通する挿通部とを備えていることを要旨とする。
【０００８】
請求項２に記載の発明は、請求項１に記載の緑化構造物において、前記固定部は、該緑化構造物の起伏が変化する変曲部に設けられていることを要旨とする。
【０００９】
請求項３に記載の発明は、請求項１又は２に記載の緑化構造物において、前記固定部は、前記固定部と前記梁の側面との間の相対距離を調節する調整部を備えていることを要旨とする。
【００１０】
請求項４に記載の発明は、請求項１〜３のいずれか一項に記載の緑化構造物において、前記固定部の前記挿通部に固定されるとともに、前記線材の端部を掛止する掛止部材をさらに備えたことを要旨とする。
【００１１】
請求項５に記載の発明は、請求項４に記載の緑化構造物において、前記掛止部材は、掛止した前記線材の張力を調整する張力調整部を備えることを要旨とする。
請求項６に記載の発明は、法枠を備えた緑化構造物に用いられる固定部であって、前記法枠を構成する梁を、その各側面から挟持する固定部と、前記各梁の間に張設される線材を挿通する挿通部とを備えていることを要旨とする。
【００１２】
請求項７に記載の発明は、法枠が形成された緑化構造物への獣類の侵入防止方法であって、獣類の侵入を防止する線材に対し前記法枠の上面から離間する方向への移動を規制する固定部を前記法枠に設け、前記線材を、前記固定部を介して前記法枠を構成する梁と梁との間に張設し、前記固定部は、前記梁の各側面を挟持する本体と、前記本体に設けられ、前記線材を挿通する挿通部とを備えていることを要旨とする。
【００１３】
請求項８に記載の発明は、請求項７に記載の獣類の侵入防止方法において、前記固定部を、該緑化構造物の凹凸形状が変化する変曲部に設けることを要旨とする。
（作用）
請求項１に記載の発明によれば、法枠に設けられた固定部により、法枠の上面から離間する方向への変位を規制して線材が張設されるので、緑化構造物の起伏が激しくても、その起伏に沿って線材を張設することができる。このため、法枠と線材との間に、獣類が侵入可能な隙間が生じない。従って獣類の侵入を防止し、法枠内の踏み荒らし、食害を防止することができる。また、固定部は、梁を挟持する固定部を備えているので、既に施工された法枠に対しても、法枠を損傷することなく固定部を取り付けることができる。
【００１４】
請求項２に記載の発明によれば、固定部は、緑化構造物の起伏が変化する変曲部に設けられている。このため、緑化構造物の起伏に沿って線材を張設することができる。
【００１５】
請求項３に記載の発明によれば、固定部は、固定部の幅と梁の幅との差を相殺する幅調整部を備えている。このため、梁によって、その幅が異なっても、固定部を強固に固定することができる。
【００１６】
請求項４に記載の発明によれば、線材の端部を掛止して、その端部を固定部に固定するので、線材の端部を法枠に対して固定することができる。このため、アンカーピン等を法枠に打ち込むことなく線材を固定できるので、法枠の損傷を防止することができる。
【００１７】
請求項５に記載の発明によれば、固定部は、掛止した線材の張力を調整する張力調整部を有するので、梁と梁との間に張られた線材を緊張させることができる。
請求項６に記載の発明によれば、固定部は、梁を各側面から挟持する固定部と、線材を挿通する挿通部とを備えている。このため、線材を挿通部に挿通して張設することで緑化構造物の起伏が大きくても、その起伏に沿って線材を張設することができる。このため、法枠と線材との間に、獣類が侵入可能な隙間が生じない。従って獣類の侵入を防止し、法枠内の踏み荒らし、食害を防止することができる。
【００１８】
請求項７に記載の発明によれば、法枠の上面から離間する方向への移動を規制する固定部を法枠に設け、固定部を介して線材が張設されるので、緑化構造物の起伏が激しくても、その起伏に沿って線材を張設することができる。このため、法枠と線材との間に、獣類が侵入可能な隙間が生じない。従って獣類の侵入を防止し、法枠内の踏み荒らし、食害を防止することができる。また、固定部は、梁を挟持する固定部を備えているので、既に施工された法枠に対しても、法枠を損傷することなく固定部を取り付けることができる。
【００１９】
請求項８に記載の発明によれば、固定部は緑化構造物の起伏が変化する箇所に設けられるので、緑化構造物の起伏に沿って線材を張設することができる。
【発明の効果】
【００２０】
本発明によれば、獣類の侵入を防止する獣類の侵入防止方法、緑化構造物及び固定部を提供することができる。
【発明を実施するための最良の形態】
【００２１】
以下、本発明を具体化した一実施形態を図１〜図７に従って説明する。本実施形態では、既に施工された緑化構造物としての緑化工基盤に対し、獣類の侵入防止用の施工をする場合について説明する。図１は、緑化工を完了した傾斜面を有する地山の斜視図である。
【００２２】
図１に示すように、地山１に形成された法面２には、多数の法枠３からなる緑化工基盤４が形成されている。法枠３は、法面２上に升目状に形成され、法面２の高さ方向（図１中Ｙ１方向）の列及び水平方向（Ｘ１方向）の行を形成している。法枠３を形成する際は、地山の滑落を防止する金網上に組立枠を組立て、その組立枠にモルタルを吹付ける。そして、吹付けたモルタルを硬化させることにより、略四角枠状の法枠３を形成する。
【００２３】
また、法枠３は、法面２に沿った水平方向（Ｘ１方向）にほぼ平行に形成された横梁３Ａと、法面２に沿った高さ方向（Ｙ１方向）にほぼ平行に形成された縦梁３Ｂとから構成されている。これらの横梁３Ａ及び縦梁３Ｂの地山１の地肌１Ａからの高さは、１５０〜３００ｍｍになっている。また、横梁３Ａ、縦梁３Ｂ及び地肌１Ａから構成される空間である植生材収容部６の横幅及び縦幅は、１０００〜１７００ｍｍ程度になっている。
【００２４】
図２に示すように、横梁３Ａの上側面Ｓ１には、三角柱状に形成された滞留防止部材５が配設されている。法枠３を構成する横梁３Ａのうち、横梁３Ａの上側面Ｓ１には雨水が滞留しやすく、植物の根腐れ、地山１の浸食等が発生しやすい。このため、横梁３Ａの上側面Ｓ１と地肌１Ａとの間で構成される空間を、断面三角状の滞留防止部材５で埋めることによって、この空間の雨水の滞留を防止する。また、横梁３Ａと地肌１Ａとの間に配設された滞留防止部材５の上面は、ほぼ水平となり、その幅が、およそ２８０〜４５０ｍｍになる。
【００２５】
また植生材収容部６には、生育基盤７が形成されている。生育基盤７は、地肌１Ａに積層されており、例えば５０ｍｍ等、植物が生育できるだけの厚みを有している。生育基盤７を形成する際には、培土、バーク堆肥等の土壌改良剤、肥料、接合剤、及び種子等を混合して混合物を作成し、この混練物をスクイズポンプ又は圧縮空気等を使用して植生材収容部６に吹付ける。
【００２６】
また、図３に示すように、緑化工基盤４には、法枠３の梁と梁の間に張設された線材１０と、線材１０を位置決めする固定部１１とが設けられている。線材１０は、金属等の材質から形成され、法枠３の上面３Ｓに沿って、植生材収容部６の上方を横切るように張設されている。固定部１１は、横梁３Ａ及び縦梁３Ｂに固定され、線材１０が法枠３から離間する方向への変位を規制するとともに、線材１０の端を法枠３に対して固定する。
【００２７】
横梁３Ａに略平行に張設される線材１０を規制又は固定する固定部１１は、縦梁３Ｂに固定される。また、縦梁３Ｂに略平行に張設される線材１０を規制又は固定する固定部１
１は、横梁３Ａに固定される。また、各固定部１１は、後述する線材１０の張設位置に合わせた位置にそれぞれ固定される。
【００２８】
この固定部１１について図４〜図７に従って説明する。図４に示すように、固定部１１は、各梁３Ａ，３Ｂに固定部１１を固定する本体２０と、本体２０に設けられた挿通部２１とを備えている。本体２０は、鉄等の金属板を、２箇所でほぼ直角に屈曲させた屈曲部２０Ａを有している。図５に示すように、各屈曲部２０Ａの間の長さＬ３は、法枠３の各梁３Ａ，３Ｂのばらつきに対応するために、法枠３の一般的な幅よりも若干大きい長さに形成されている。
【００２９】
各屈曲部２０Ａの下方には、調整部を構成する１対の貫通孔２２が貫通形成されている。各貫通孔２２には、調整部を構成する締結部材２３がそれぞれ貫挿される。各締結部材２３は、先端が先細りとなるように形成されたボルト２３Ａ及びナット２３Ｂであって、４つの貫通孔２２にそれぞれ貫挿される。
【００３０】
また、本体２０のうち、各屈曲部２０Ａ以外の部分である中央部２０Ｂの上面には、挿通部２１が設けられている。挿通部２１は、棒状に形成された鉄材等であって、２箇所で折り曲げた屈曲形状（コの字状）、或いは湾曲形状（Ｕ字状）等に加工され、その両端が中央部２０Ｂの上面に対して溶接されることにより本体２０に対して固定されている。その結果、挿通部２１及び中央部２０Ｂの上面により、線材１０を挿通するための孔が形成される。
【００３１】
本体２０を梁３Ａ，３Ｂに取り付ける際には、図５に示すように、中央部２０Ｂを梁３Ａ，３Ｂの上面３Ｓにほぼ接した状態とし、梁３Ａ，３Ｂの側面を各屈曲部２０Ａによって挟む。このとき、屈曲部２０Ａの内側と、各梁３Ａ，３Ｂの側面との間には、大抵の場合隙間が生じているが、各梁３Ａ，３Ｂの幅は、数ミリ〜数十ミリのばらつきがあるため、その隙間の大きさも一定ではない。
【００３２】
さらに、本体２０の貫通孔２２に４つの締結部材２３を貫挿し、ボルト２３Ａの先端が梁３Ａ，３Ｂの側面に圧接するように締結する。これにより、各締結部材２３は、梁３Ａ，３Ｂを両側から挟持し、本体２０は梁３Ａ，３Ｂに対して固定される。上記したように、各梁３Ａ，３Ｂと屈曲部２０Ａとの隙間は一定ではないが、締結部材２３で、各屈曲部２０Ａと梁３Ａ，３Ｂとの相対距離を調節することができるので、本体２０を梁３Ａ，３Ｂに対して強固に固定できる。また、各梁３Ａ，３Ｂの外表面には微細な凹凸があるが、各梁３Ａ，３Ｂに圧接されるのがボルト２３Ａの先端であり、４つの締結部材２３で固定するため、各梁３Ａ，３Ｂの外表面の状態に特に左右されず、固定部１１を安定して固定できる。
【００３３】
また、固定部１１は、法枠３を損傷せずに取り付けることができる。即ち、ピン等を法枠３に打ち込むような場合には、硬化したモルタルに亀裂が生じ、この亀裂から雨水等が浸透し、法枠３が破壊されてしまう虞があるが、固定部１１を介して線材１０を固定することにより、法枠３の損傷を防止できるとともに、どのような法枠３にも施工することができる。また、線材１０を撤去する場合にも、法枠３を破壊することなく容易に取り外しできるので、撤去にかかるコストも削減することができる。
【００３４】
尚、本体２０の金属板の厚みや強度にもよるが、屈曲部２０Ａと、各梁３Ａ，３Ｂとの隙間が大きい場合、屈曲部２０Ａの下端において締結力を加えることにより、中央部２０Ｂが若干下方に湾曲することがあるが、その場合には予め中央部２０Ｂを上方に湾曲させた状態に加工してもよい。この場合、屈曲部２０Ａに締結力が加えられると、締結力の付加による中央部２０Ｂの下方への変形が、予め上方に湾曲形成した形状により相殺され、
中央部２０Ｂがほぼ平らとなる。その結果、固定部１１のずれを防止するとともに、固定部１１を梁３Ａ，３Ｂに対して強固に固定することができる。
【００３５】
この固定部１１は、主に獣類の侵入防止となる対象区間（以下、侵入防止対象区間という）の端と、法枠３の凹凸が変化する変曲部に取り付けられる。侵入防止対象区間の端部に設けられる固定部１１は、侵入防止対象区間を取り囲む線材１０の端部を固定するために設けられる。上記変曲部に設けられる固定部１１は、線材１０を法枠３の形状に沿って好ましい位置に張設するために設けられる。
【００３６】
図６は、線材１０の端部を固定する固定部１１の斜視図である。この固定部１１は、挿通部２１に、ターンバックル等の掛止部材２４が掛止されている。本実施形態では、掛止部材２４は、フック部材２４Ａと、フック部材２４Ａを貫挿する孔にネジ山が形成された枠部２４Ｃとを備えるが、その他の構成でもよい。尚、フック部材２４Ａ及び枠部２４Ｂは、線材１０の張力を調整する張力調整部として機能する。
【００３７】
フック部材２４Ａに掛止される線材１０の端部は、その先端から数十センチメートル程度の長さの部分が輪状に形成されており、線材１０の先端はワイヤクリップ等の線材固定具２５で固定されている。そして輪状部分を、フック部材２４Ａの鉤状部分に掛止し、枠部２４Ｃを回転させると、線材１０の張力が高められ、最終的に線材１０が緊張した状態で張設される。ここで、法枠３に固定された線材１０の張力が弱いと、線材１０は弛んだ状態となり、獣類が容易に線材１０を跨いで、生育基盤７に容易に侵入しやすくなる。上記したように線材１０を緊張させると、獣類の足が線材１０に接触しやすくなり、獣類の警戒心又は不快感を煽ることができる。
【００３８】
一方、図３に示すように、横梁３Ａに略平行に張設される線材１０を挿通する固定部１１は、縦梁３Ｂに固定される。また、図１に示すように縦梁３Ｂに略平行に張設される線材１０を挿通する固定部１１は、横梁３Ａに固定される。また各固定部１１は、後述する線材１０の張設位置に合わせた位置に固定される。
【００３９】
図７は、上記変曲部に設けられ、線材１０を規制する固定部１１の斜視図である。固定部１１は、各梁３Ａ，３Ｂに固定され、その挿通部２１に線材１０を挿通する。図７に示すように、固定部１１が横梁３Ａに固定されている場合には、その挿通部２１に、縦梁３Ｂと略平行な方向に張設された線材１０を挿通し、線材１０に対し、法枠３の上面３Ｓから離間する方向への変位を規制する。図に示すように、線材１０は、法枠３の上面３Ｓから数センチメートル程度離間しているが、緑化工基盤４の起伏形状により、線材１０に対して、法枠３の上面３Ｓに垂直な方向（図中Ｚ１方向）に張力等が付加されても、線材１０が挿通部２１により係止される。また施工後に何らかの外力が線材１０に加えられても、線材１０の水平方向（Ｘ１方向）への変位を規制することができる。
【００４０】
このため、図１及び図２に示すように法面２の凹凸形状が激しい場合でも、線材１０を、その張設位置の起伏に合わせて張設することができる。図１中、例えば侵入防止対象区間の下端に、横梁３Ａと略平行に張設された線材１０は、緑化工基盤４の凹状部分に固定部１１が設けられることで、凹状部分に沿って張設されている。また、侵入防止対象区間を横切るように、横梁３Ａと略平行に配設された線材１０は、凹状部分と凸状部分とに固定部１１が設けられることで、凹状部分及び凸状部分に沿って張設されている。
【００４１】
また、例えば図２に示すような凹状の起伏がある場合、凹状の変曲部に固定部１１が配設されていないと、図中、凹状の部分と線材１０との間に獣類が侵入可能な大きな隙間が生じてしまう可能性があるが、固定部１１を設けることで隙間の発生を防止できる。また、線材１０と法枠３との間に大きな隙間が生じると、外観上も好ましくない。
【００４２】
次に、線材１０の張設位置について説明する。線材１０は、任意の侵入防止対象区間を囲むように張設されるとともに、万が一獣類が侵入防止対象区間に侵入してしまった場合にも被害を最小限にするために、侵入防止対象区間を横切るように張設される。固定部１１は線材１０をそれらの位置に張設するのに最適な位置に固定される。図１では、侵入防止対象区間の左端及び右端にそれぞれ２本の線材１０が張設され、該区間の行方向の上端及び下端に２本の線材１０が張設されている。また、侵入防止対象区間を横切るように２本の線材１０が行方向及び列方向にそれぞれ張設されている。
【００４３】
１対の第１及び第２の線材１０Ａ，１０Ｂを、横梁３Ａと略平行に張設する際は、図２に示すように、第１の線材１０Ａを、横梁３Ａの角頂部Ｐ１から、水平方向（法面２に対して奥行き方向、図２中Ｘ２方向）に長さＬ１、鉛直方向（重力方向、図２中Ｙ２方向）に高さＨ１の位置に張設する。
【００４４】
長さＬ１は、第１の線材１０Ａが滞留防止部材５のほぼ上方に位置する長さに設定されている。さらに、この長さＬ１は、ニホンジカ等の偶蹄目類に代表される獣類が角頂部Ｐ１に足を掛けた状態で、滞留防止部材５又は植生材収容部６を踏み込む場合の歩幅（４００〜８００ｍｍ）よりも小さくなるように設定され、本実施形態では、長さＬ１は、７０〜１２０ｍｍであって、この範囲内で法面２の傾斜角等に応じて設定される。７０ｍｍよりも小さくすると、角頂部Ｐ１と第１の線材１０Ａとの距離が過小となり、獣類が第１の線材１０Ａを容易に跨いで、滞留防止部材５の上に足を置くようになる。１２０ｍｍよりも大きいと、獣類が第１の線材１０Ａに触れることなく、滞留防止部材５の上に足を掛けてしまう。
【００４５】
高さＨ１は、本実施形態では、１００〜２００ｍｍである。第１の線材１０Ａの高さＨ１が１００ｍｍよりも低いと、獣類が容易に第１の線材１０Ａを跨いでしまう。高さＨ１が２００ｍｍよりも大きいと、上記したように、第１の線材１０Ａに接触することなく、例えば滞留防止部材５等、第１の線材１０Ａの手前を踏み込んでしまう。
【００４６】
上記した位置に第１の線材１０Ａを配置すると、獣類が滞留防止部材５の上面等に足を掛けた際に、第１の線材１０Ａが、ニホンジカ等の足のうち、蹄よりも上方の部位に接触する。獣類の足に第１の線材１０Ａが接触すると、獣類は警戒して、接触を避けようとする。このため、動作が困難になり、生育基盤７への侵入が難しくなる。また、法面２の傾斜が大きくなるほど獣類の歩行の容易な幅が小さくなるため、傾斜角が大きくなるほど長さＬ１，Ｌ２を小さくする。
【００４７】
第２の線材１０Ｂは、横梁３Ａの角頂部Ｐ１から、水平方向（Ｘ２方向）に長さＬ２、鉛直方向（Ｙ２方向）に高さＨ２の位置に配置する。本実施形態では、長さＬ２は、２００〜４５０ｍｍに設定されている。長さＬ２が２００ｍｍよりも小さいと、ニホンジカ等の獣類が第１及び第２の線材１０Ａ，１０Ｂの間を一度に乗り越えて、生育基盤７を容易に踏み込む。長さＬ２が４５０ｍｍよりも大きいと第１の線材１０Ａとの間隔が過大となり、第１及び第２の線材１０Ａ，１０Ｂの間を踏み込んでも、獣類の足と第１又は第２の線材１０Ａ，１０Ｂと接触しないことがある。
【００４８】
高さＨ２は、本実施形態では、４２０〜５５０ｍｍになっている。高さＨ２が４２０ｍｍよりも低いと、上記したように、第１及び第２の線材１０Ａ，１０Ｂを一度に乗り越えやすい。高さＨ２が５５０ｍｍよりも大きいと、上記したように、第１及び第２の線材１０Ａ，１０Ｂの間を踏み込みやすい。このように第１及び第２の線材１０Ａ，１０Ｂを各法枠３に対して張設すると、第１及び第２の線材１０Ａ，１０Ｂは、地山１の地肌１Ａに対して、ほぼ１５０〜３００ｍｍ離間した状態になる。
【００４９】
また、１対の第１及び第２の線材１０Ａ，１０Ｂを、侵入対象防止区間の左端及び右端に、縦梁３Ｂと略平行に張設する際は、横梁３Ａの場合と同じように張設する。図３に示すように、１対の各線材１０Ａ，１０Ｂのうち、侵入防止対象区間の外側に近い線材１０を第１の線材１０Ａとし、最も近い縦梁３Ｂの角頂部Ｐ２から長さＬ１の位置に張設する。また、他方の第２の線材１０Ｂを、角頂部Ｐ２から長さＬ２の位置に張設する。さらに、侵入防止対象区間を横切る線材１０は、上記したように角頂部Ｐ１，Ｐ２からの距離を基準に張設してもよいし、任意の位置に張設してもよい。
【００５０】
このように張設された各線材１０Ａ，１０Ｂは、固定部１１によって、法枠３に対して好適な位置に位置決めされる。このため、獣類が第１及び第２の線材１０Ａ，１０Ｂを乗り越えて侵入を試みた場合等に、第１及び第２の線材１０Ａ，１０Ｂのいずれかが獣類の足に接触する確率が高くなり、確実に警戒心を煽ることができる。また、第１及び第２の線材１０Ａ，１０Ｂに外力が加えられても、固定部１１により、第１及び第２の線材１０Ａ，１０Ｂの水平方向（Ｘ１方向）への変位、高さ方向（Ｙ１方向）への変位及び法枠３の上面３Ｓに対して垂直な方向（Ｚ１方向）への変位を規制し、上記した張設位置からのずれを抑制することができる。
【００５１】
次に、線材１０の張設方法について説明する。まず、固定部１１を、上記したように侵入防止対象区間の端と、起伏の変曲部とに取り付ける。また、緑化工基盤４の幅及び高さが長い場合には、線材１０を位置決めするために、固定部１１を、線材１０の途中の任意の位置に設けてもよい。
【００５２】
侵入防止対象区間の一端に固定された固定部１１には、その挿通部２１に掛止部材２４を掛止する。また、上記したように線材固定具２５を用いて線材１０の一方の先端を輪状にし、掛止部材２４に掛止する。また、線材１０を法面２の上面３Ｓに沿わせながら延ばし、途中に設けられた固定部１１の挿通部２１に線材１０を貫挿する。そして侵入防止対象区間の他端に到達すると、線材１０を切断し、その先端を線材固定具２５を用いて輪状にする。さらに、侵入防止対象区間の他端に固定された固定部１１の挿通部２１に掛止部材２４を掛止し、掛止部材２４に、輪状にした線材１０の端部を掛止する。そして、掛止部材２４の張力調整部を操作することにより、掛止部材２４に掛止した線材１０を緊張させ、上記した位置に線材１０を位置決めする。
【００５３】
このように上端、下端及び各側端に第１及び第２の線材１０Ａ，１０Ｂを張設すると、緑化工基盤４の上端、下端及び各側端から侵入しようとする獣類が、第１及び第２の線材１０Ａ，１０Ｂを一度に乗り越えたり、第１及び第２の線材１０Ａ，１０Ｂの間を踏み込んだ際に、獣類の足と第１又は第２の線材１０Ａ，１０Ｂが接触しやすくなる。また、第１及び第２の線材１０Ａ，１０Ｂとの接触を回避しようとすると、動作が不安定となるため、獣類は侵入に消極的になる。
【００５４】
これらの工程を経て完成した緑化工基盤４は、法枠３に金網を敷設する場合に比べ、第１及び第２の線材１０Ａ，１０Ｂが目立たないので、緑化工基盤４の景観を損なわない。また、第１及び第２の線材１０Ａ，１０Ｂは、法枠３の上面３Ｓに沿って張設されるので、生育基盤７に対して離間した状態となるとともに、各梁３Ａ，３Ｂと各線材１０との間に獣類が侵入可能な隙間が生じない。このため、獣類が侵入した際に、第１及び第２の線材１０Ａ，１０Ｂと、獣類の蹄から上の部位とを主に接触させて、警戒心又は不快感を煽ることができる。
【００５５】
上記実施形態によれば、以下のような効果を得ることができる。
（１）上記実施形態では、獣類の侵入を防止する線材１０は、法枠３に対して位置決め
する固定部１１を介して、法枠３の上面から離間する方向への変位を規制されて梁と梁との間に張設される。このため、緑化工基盤４の起伏が激しい場合にも、その起伏に沿って線材を張設することができる。従って、法枠３と線材１０との間に、獣類が侵入可能である大きな隙間が生じないため、獣類が緑化工基盤４に侵入する際には、獣類は線材１０を乗り越えて侵入せざるを得なくなる。獣類が侵入を試みた場合には、その足が、生育基盤７の上方に張られた線材１０に接触するため、獣類の警戒心が煽られるとともに急傾斜での不安定な行動を余儀なくされる。これにより、緑化工基盤４への獣類の侵入を防止することができるので、法枠３内に生育した植物が採食される、いわゆる食害を防止するとともに、植物の踏み荒らしを防止することができる。また、金網を法枠３に敷設する場合に比べてコストを削減し、施工を容易にすることができる。さらに、線材１０は、緑化工基盤４の外側から見た場合に目立たないので、金網等のネットを敷設する場合に比べて緑化工基盤４の景観を向上させることができる。
【００５６】
（２）上記実施形態では、固定部１１は、緑化工基盤４の凹凸形状が変化する変曲部に設けられる。このため、固定部１１の個数を増やすことなく、線材１０を緑化工基盤４の起伏に沿って張設することができる。
【００５７】
（３）上記実施形態では、固定部１１は、梁の各側面を挟持する本体２０と、本体２０に設けられ、線材１０を挿通する挿通部２１とを備えている。このため、既に施工された法枠３にピンを打ち込んで線材１０を固定するような場合に比べて、法枠３を損傷することなく固定部１１を取り付けることができる。また、法枠３への取付を容易にすることができる。
【００５８】
（４）上記実施形態では、固定部１１は、各屈曲部２０Ａと梁３Ａ，３Ｂの側面との相対距離を調節する貫通孔２２と、締結部材２３とを有する。従って、締結部材２３を貫通孔２２に挿通して締結するため、梁によって幅が異なっても、固定部１１を法枠３に対して強固に固定することができる。
【００５９】
（５）上記実施形態では、侵入防止対象区間の端に設けられた固定部１１には、その挿通部２１に、掛止部材２４を掛止する。さらに、掛止部材２４に、線材１０の端部を掛止して、線材１０の端部を固定部１１に固定する。これにより、固定部１１を介して、線材１０の端部を法枠３に固定することができる。このため、法枠３にアンカーピンを打ち込むことなく、線材１０を張設することができる。また、地山１に打ち込まれたアンカーピンで線材１０の端部を固定する場合は、法枠３の端から線材１０を張設することになるが、固定部１１を用いると緑化工基盤４のうち、所望の位置に線材１０を張設することができるので、施工の自由度を向上することができる。
【００６０】
尚、本実施形態は以下のように変更してもよい。
・上記実施形態では、上記緑化工基盤４は傾斜した法面２に対して形成するようにしたが、平地に形成してもよい。
【００６１】
・線材１０及び固定部１１は、正面からみた形状が円形状の法枠等、上記した四角枠形状以外の法枠３にも配設可能である。また、梁の断面形状が四角形状の法枠ではなく、断面欠円状等、その他の形状の法枠３にも配設可能である。
【００６２】
・線材１０及び固定部１１は、滞留防止部材５を配設した法枠３に限られることなく、滞留防止部材５の無い法枠３に設けてもよい。この場合にも上記のように獣類の侵入防止効果が得られる。
【００６３】
・上記実施形態では、植生材収容部６の横幅及び縦幅が１０００〜１７００ｍｍになる
ように法枠３を形成したが、この幅に特に限定されない。
・上記実施形態では、第１の線材１０Ａを、角頂部Ｐ１から水平方向に７０〜１２０ｍｍ、第２の線材１０Ｂを、角頂部Ｐ２から水平方向に２００〜４５０ｍｍの位置に配置したが、侵入防止となる獣類の歩幅や、法面２の傾斜角、法面２の形状に応じて変更してもよい。
【００６４】
・上記実施形態では、横梁３Ａに略平行に張設された線材１０と、縦梁３Ｂに略平行に張設された線材１０とが、緑化工基盤４の隅部で交差するようにしたが、交差しないようにしてもよい。
【００６５】
・線材１０は、各梁３Ａ，３Ｂに対して斜めに張設されていてもよい。また、上記実施形態では、侵入防止対象区間の上端及び下端を囲む線材１０は、横梁３Ａと略平行に張設し、左端及び右端を囲む線材１０は、縦梁３Ｂと略平行に張設したが、線材１０の張設方向や本数は、緑化工基盤４の形状は周辺環境に応じて変更可能である。
【００６６】
・上記実施形態では、固定部１１と梁３Ａ，３Ｂの側面との間の相対距離を調節する調整部を、ボルト及びナットからなる締結部材２３から構成したが、固定部１１の屈曲部２０Ａに設けられたコイルバネ又は板バネ等から構成してもよく、その他の形状にしてもよい。
【００６７】
・線材１０の材質は、金属に限られず、合成樹脂でもよく、特に限定されない。
・固定部１１は、挿通部２１と、梁３Ａ，３Ｂの側面を挟持する屈曲部２０Ａを有していれば良く、他の形状でもよい。例えば、図８に示すように、線材１０１を折り曲げて形成した固定部１００でもよい。固定部１００は、梁３Ａ，３Ｂを挟持する屈曲部１０２を備えた本体１０４と、線材１０１の途中を環状に掛止得した挿通部１０３とを有する。屈曲部１０２には、図に示すように、下端を内側に折り曲げた係止爪１０２Ａを設けてもよい。固定部１００は、線材１０１から形成されているため、屈曲部１０２の角度を変えたり、場合によっては梁３Ａ，３Ｂに合わせて各屈曲部１０２の間の長さが変更されることにより、梁３Ａ，３Ｂを直接挟み込む。この際、係止爪１０２Ａが、梁３Ａ，３Ｂの各側面を挟持するので、本体１０４を梁３Ａ，３Ｂに対して安定して固定することができる。また、この固定部１００の場合、２箇所に挿通部１０３を形成することができる。或いは、図９に示すように、金属板を屈曲形成した屈曲部１０６を有する本体１０７と、金属板の略中央に切り込み、切り込んだ部分を金属板の上面に対してほぼ垂直になるように折り曲げた挿通部１０８を備えた固定部１０５でもよい。屈曲部１０６には、図に示すように、下端を内側に折り曲げた係止爪１０６Ａを設けてもよい。挿通部１０８には、貫通孔１０９を形成する。係止爪１０６Ａは、梁３Ａ，３Ｂの各側面を支持するので、本体１０７を梁３Ａ，３Ｂに対して安定して固定することができる。
【００６８】
・上記実施形態の固定部１１は、図８及び図９の固定部１００，１０５のように、本体２０の屈曲部２０Ａの下端を内側に折り曲げて、係止爪を形成してもよい。
・上記実施形態の固定部１１に、図１０に示す支持部１１０を設けてもよい。支持部１１０は、半球状の挿通部１１１と、挿通部１１１の側縁に設けられた鍔部１１２とを備えている。挿通部１１１の頂点には、挿通孔（図示略）が形成され、この挿通孔にボルト２３Ａを挿通して支持する。また、鍔部１１２は、梁３Ａ，３Ｂの側面に当接する。そして、支持部１１０と屈曲部２０Ａとの間にナット１１３を介在させ、各ナット１１３，２３Ｂを締結することで、鍔部１１２が梁３Ａ，３Ｂの側面に圧接される。このとき、ボルト２３Ａの下端のみが梁３Ａ，３Ｂに当接する場合よりも、鍔部１１２が梁３Ａ，３Ｂに当接する場合の方が、梁３Ａ，３Ｂとの接触面積が大きくなるため、本体２０を梁３Ａ，３Ｂに対して強固に、且つ安定させて固定することができる。
【００６９】
・上記実施形態では、線材１０の端を固定部１１と掛止部材２４とで法枠３に対して固定するようにしたが、法枠３の状態によってはアンカーピンを用いて法面２に固定してもよい。
【００７０】
・上記実施形態では、既に形成された法枠３に対して固定部１１を設けるようにしたが、法枠３を形成する際に、線材１０や掛止部材２４を挿通する孔を有する固定部をモルタルに埋め込み、固定部を法枠３に一体に形成してもよい。
【図面の簡単な説明】
【００７１】
【図１】緑化工基盤の全体図。
【図２】緑化工基盤の断面図。
【図３】緑化工基盤の要部斜視図。
【図４】固定部の斜視図。
【図５】固定部の立面図。
【図６】侵入防止対象区域の端に設けられた固定部の斜視図。
【図７】線材の途中に設けられた固定部の斜視図。
【図８】別例の固定部の斜視図。
【図９】別例の固定部の斜視図。
【図１０】別例の固定部の斜視図。
【符号の説明】
【００７２】
１…地山、２…法面、３…法枠、３Ａ，３Ｂ…梁、３Ｓ…上面、４…緑化構造物としての緑化工基盤、１０，１０Ａ，１０Ｂ，１０１…線材、１１，１００，１０５…固定部、２０，１０４，１０７…本体、２１，１０３，１０８，１１１…挿通部、２２…調整部を構成する貫通孔、２３…調整部を構成する締結部材、２４…掛止部材。
【図１】
0005128997.tif 000002
【図２】
0005128997.tif 000003
【図３】
0005128997.tif 000004
【図４】
0005128997.tif 000005
【図５】
0005128997.tif 000006
【図６】
0005128997.tif 000007
【図７】
0005128997.tif 000008
【図８】
0005128997.tif 000009
【図９】
0005128997.tif 000010
【図１０】
0005128997.tif 000011